(57)【要約】      （修正有）【課題】遺物の撮影において、遺物の撮影面に撮像手段を正対させ、かつ、遺物の２分の１の高さに撮像手段のレンズ中心を高精度にセットできるようにし、又、遺物の表面を明るく照らし鮮明な画像を撮影できる遺物撮影装置を提供する。【解決手段】テーブル台９の中心軸にテープを貼り付けた寸法目盛入りテープ１０と、該テープに沿ってテーブル台の一端に配置された遺物台５と、もう一端に配置された撮像ユニット６と、該遺物台の中心に置かれた遺物１と、撮像ユニットの中心に置かれた撮像手段と、撮像手段を保持する撮像手段保持版と、該撮影手段保持版を上下に移動する垂直柱と摺動機構と、遺物表面を照らす照明装置７を有する。【選択図】図４
0003207220.tif 000002
【実用新案登録請求の範囲】
【請求項１】
遺物の撮像を行うための、テーブル台と、テーブル台の所定の位置に貼られた寸法目盛付きテープと、テーブル台の上に所定の位置関係を持ち配置された撮像ユニット及び遺物台と、遺物の表面を照らす照明装置からなる遺物撮影装置。
【請求項２】
テーブル台の長手方向の中心軸上に貼り付けられた該寸法目盛付きテープに沿って、遺物台の中心と、撮像手段のレンズ中心を同軸上に配置できることを特徴とする請求項１に記載の遺物撮影装置。
【請求項３】
撮像手段と、寸法目盛が付いた２本の垂直柱と、２本の垂直柱に水平に取り付けられた撮像手段固定板と、該撮像手段固定板を任意の高さに移動させる摺動機構とで構成される請求項１に記載の撮像ユニット。
【請求項４】
撮像手段のレンズ中心の高さ位置が遺物台の上面と同じ高さにある時に、垂直柱に付けた目盛がゼロを差し、該目盛を参照して、遺物の２分の１高さに撮像手段を移動できることを特徴とする請求項１に記載の撮像ユニット。
【請求項５】
被写体を乗せ、かつ、下方からの照明光を通過させる透明な部材で作られた請求項１に記載の遺物台。
【考案の詳細な説明】
【技術分野】
【００１】  本考案は、考古学における遺物撮影装置に関するものである。【００２】  考古学では、遺物の形状を客観的に記載する手段として、スケッチではなく、機械設計で主に用いられる投影図法による多面図の実測図を用いている。
この実測図を描く方法としては、遺物表面上の多数の特徴点を手で測定し、グラフ用紙にこれらの点をプロットし、これらの点を参照して図化する手実測法や、レーザーなどによる３次元測定からオルソ画像を作成し、該オルソ画像を下図にしてなぞり描画する方法や、或いは、撮像手段で撮影した２次元画像を遠近補正してオルソ画像を作成し、同様になぞり描画する方法がある。【００３】  本発明は、この内の、撮像手段で遺物の２次元画像を撮影する装置に関するものである。
【考案の開示】
【考案が解決しようとする課題】
【００４】  撮像手段による２次元画像の撮影では、遺物の撮影面に撮像手段を正対させ、かつ、遺物の２分の１の高さにレンズ中心をセットする必要がある。
従来は、自由雲台を付けた三脚に撮像手段を装着し撮影していた。初めに、机の上に遺物を置き、次に、遺物から１〜３ｍほどの距離をおいて、撮像手段を自由雲台付きの三脚に取り付け、設置する。次に、遺物の２分の１の位置の地上高を測定する。次に、スケールと三脚の上下機構を用いて同じ地上高に撮像手段のレンズ中心を移動させ、同時に、撮像手段を遺物に正対させ必要があるが、撮像手段が丸みを帯びた立体形状で、スケールで精度よく高さ測定できないこと、又、自由雲台に付けた撮像手段が左右、前傾、後傾に自由に動くため、セットする精度が不十分で、調整にも多くの時間がかかる。
考古学の遺物撮影では、一度に数十個を撮影することも多く、撮影には相当の労力と時間がかかっている。【００５】  遺物は様々な形状があるが、土器類、茶碗類など、下部が細く、すぼんでいるものが多くある。机の上に遺物を置き撮影する場合、下部のすぼんだ部分に光が当たりにくく、鮮明な画像が撮れない場合が多い。【００６】  課題の一つ目は、撮像手段を上下に移動させ、その撮像手段のレンズ中心を遺物の２分の１高さに正確に移動させることである。【００７】  課題の二つ目は、撮像手段の向きを遺物の撮影面に正確に正対させることである。【００８】  課題の三つ目は、遺物は下部のすぼんだ形状部分を明るく照らすことである。
【課題を解決するための手段】
【００９】  図３及び図４に示すように、平坦なテーブル台の長手方向の中心軸に寸法目盛付きのテープを貼り付ける。テーブル台の一端に遺物台を、又、別の一端に撮像ユニットを、それぞれの中心をテーブル中心軸に合わせ設置する。
この結果、遺物台の中心に置いた遺物と、撮像ユニットに取り付けされている撮像手段は、テーブル中心軸に乗っている。より詳細には、撮影する遺物の中心と撮像手段のレンズ中心も、テーブル中心軸に乗っている。【０１０】  図５及び図６に示す撮像ユニットは、撮像手段と本撮像手段を上下に垂直に移動させる機能を有している。
又、上下に移動する距離を測る寸法目盛が付いており、任意の距離を移動できることから、撮像手段を遺物の２分の１の高さまで正確に移動できる。【０１１】  図７及び図８に示すように、撮像手段のレンズ中心の高さ位置が遺物台上面と同じ高さにある時に、垂直柱に付けた目盛がゼロを差すよう設定されており、該目盛を参照して、遺物の２分の１高さ分を移動させれば、撮像手段と遺物中心が一致するように設定されている。【０１２】  図３に示すように、遺物台は透明な部材で作成し、下部がすぼんだ遺物では、遺物台の下から照明を当て、鮮明な画像を撮影できる。
【考案の効果】
【０１３】  撮像ユニットにより、遺物と撮像手段を正確な位置にセットするができ、その結果、遺物の撮影面に撮像手段を正対させ、かつ、遺物の２分の１の高さにレンズ中心がセットされ、高精度な画像を撮影することができた。【０１４】  下部がすぼみ、暗くなりやすい形状の遺物に、遺物台の下方から照明を当てることにより、遺物全体を鮮明に撮影できた。
【実施例】
【０１５】  添付図面に沿って、本発明の実施例を説明する。図１は、遺物１の撮影面を示している。撮影面の中心は、遺物中心軸３と遺物高さＨの２分の１の交点で、撮影は、本交点に正対して行われる。
図２のように、遺物に欠損などがあり遺物中心軸３が傾斜している場合には、下部にスキマ板４を差込み、遺物中心軸３を垂直に調整した姿勢にて交点を求める。【０１６】  図４は、平坦なテーブル台９の上面の長手方向の中心軸に寸法目盛付きテープ１０を貼り付け、テーブル台９の一端には遺物台５を、又、別の一端には撮像ユニット６を、それぞれの中心を寸法目盛付きテープ１０に合わせ設置している。
この結果、遺物台５の中心に置いた遺物１と、撮像ユニット６の中央に取り付けされている撮像手段１１も、テーブル台９の中心軸に乗っている。より詳細には、遺物の中心と撮像手段１１のレンズ中心も、テーブル台９の中心軸に乗っている。【０１７】  図５及び図６は、撮像ユニット６を示しており、撮像手段１１を上下に垂直に移動させる機能を持ち、撮像手段１１と、下板１２と、垂直柱１３と、摺道機構１４と、撮像手段保持板１５から構成されている。
撮像手段保持板１５は、摺道機構１４を介し、２本の垂直柱１３に水平に取り付けられており、撮像手段１１を撮像手段保持板１５に取り付ければ、撮像手段１１は自然に水平姿勢となる。又、摺道機構１４を垂直柱１３に沿って動かせば、撮像手段１１を上下に移動させることができる。【０１８】  図７及び図８は、遺物１と撮像手段１１の位置関係を示している。
垂直柱１３には寸法目盛が付いており、移動距離を確認して、撮像手段１１を遺物中心の位置まで正確に移動できるようになっている。
該撮像手段１１のレンズ中心の高さ位置が遺物台５の上面と同じ高さにある時に、垂直柱１３に付けた目盛がゼロを差すよう設定されており、該目盛を参照して、遺物の２分の１高さ分移動させれば、撮像手段１１と遺物中心の高さが一致するように設定されている。【０１９】    以上のように、一旦、遺物台５と撮像手段１１が所定の位置にセットされれば、多くの遺物を効率的に撮影できる。すなわち、遺物の寸法を測定し、撮像手段１１の高さをセットするのみで、多くの遺物を効率的に撮影することができる。【０２０】  下部がすぼみ、暗くなりやすい遺物を撮影する場合には、照明装置Ｎｏ．１で遺物の前方から、特に、透明な遺物台５の下方から、照明装置Ｎｏ．２で光を当てることにより、鮮明な撮影が可能になる。
【図面の簡単な説明】
【図１】は、遺物の中心軸と遺物の２分の１高さの交点で、交点は撮影中心を示している。
【図２】は、遺物下部にスキマ板を入れ、遺物の中心軸を調整して交点を求めている。
【図３】は、遺物撮影台の側面図である。
【図４】は、遺物撮影台の上面図である。
【図５】は、撮影ユニットの正面図である。
【図６】は、撮影ユニットの側面図である。
【図７】は、遺物台の上面位置と撮像手段用レンズの中心位置が同じ高さにあることを示す図である。
【図８】は、遺物の中心位置と撮像手段用レンズの中心位置が同じ高さにあることを示す図である。
【符号の説明】  １：遺物
２：遺物中心
３：遺物中心軸
４：スキマ板
５：遺物台
６：撮像ユニット
７：照明装置ＮＯ．１
８：照明装置ＮＯ．２
９：テーブル台
１０：寸法目盛付きテープ
１１：撮像手段
１２：下板
１３：垂直柱
１４：摺道機構
１５：撮像手段保持板
【図１】
0003207220.tif 000003
【図２】
0003207220.tif 000004
【図３】
0003207220.tif 000005
【図４】
0003207220.tif 000006
【図５】
0003207220.tif 000007
【図６】
0003207220.tif 000008
【図７】
0003207220.tif 000009
【図８】
0003207220.tif 000010
【手続補正書】
【提出日】平成28年7月26日(2016.7.26)
【手続補正１】
【補正対象書類名】実用新案登録請求の範囲
【補正対象項目名】全文
【補正方法】変更
【補正の内容】
【実用新案登録請求の範囲】
【請求項１】
遺物の撮像を行うための、テーブル台と、テーブル台の所定の位置に貼られた寸法目盛付きテープと、テーブル台の上に所定の位置関係を持ち配置された撮像ユニット及び遺物台と、遺物の表面を照らす照明装置からなる遺物撮影装置。
【請求項２】
テーブル台の長手方向の中心軸上に貼り付けられた該寸法目盛付きテープに沿って、遺物台の中心と、撮像手段のレンズ中心を同軸上に配置できることを特徴とする請求項１に記載の遺物撮影装置。
【請求項３】
請求項１に記載の撮像ユニットは、撮像手段と、寸法目盛が付いた２本の垂直柱と、２本の垂直柱に水平に取り付けられた撮像手段固定板と、該撮像手段固定板を任意の高さに移動させる摺動機構とで構成されることを特徴とする請求項１に記載の遺物撮影装置。
【請求項４】
請求項１に記載の撮像ユニットは、撮像手段のレンズ中心の高さ位置が遺物台の上面と同じ高さにある時に、垂直柱に付けた目盛がゼロを差し、該目盛を参照して、遺物の２分の１高さに撮像手段を移動できることを特徴とする請求項１に記載の遺物撮影装置。
【請求項５】
請求項１に記載の遺物台は、被写体を乗せ、かつ、下方からの照明光を通過させる透明な部材で作られたことを特徴とする請求項１に記載の遺物撮影装置。